(57)【要約】【課題】ワゴンの上部に補助天板を取付けた際に、該補助天板とデスクの天板との上面が略同一面となり、更に、ワゴンの上部から前記補助天板を取外した際に、デスクの下部に設けた収納空間にワゴンを収納可能なデスクセットにおいて、前記補助天板のワゴン上部から取外した際の補助天板の有効活用を行なう。【解決手段】デスク２と少なくとも２個の収納部品３，４を有するデスクセット１であって、一方の収納部品３，４の上部に板状部材７を取外し可能に設け、該板状部材７を、一方の収納部品３，４から取外して他方の収納部品４，３の上部に取り外し可能に設けることができるようにした。【選択図】図１
2010284424.tif 000002
【特許請求の範囲】
【請求項１】
デスクと少なくとも２個の収納部品を有するデスクセットであって、
一方の収納部品の上部に板状部材を取外し可能に設け、該板状部材を、一方の収納部品から取外して他方の収納部品の上部に取り外し可能に設けることができるようにしたことを特徴とするデスクセット。
【請求項２】
前記夫々の収納部品の上部に前記板状部材を取付けた際には、該板状部材の上面とデスクの天板の上面とが同一面とすることができ、
前記夫々の収納部品の上部に前記板状部材を取付けていない際には、この収納部品を、前記デスクの下部に設けた収納空間に収納できることを特徴とする請求項１記載のデスクセット。
【請求項３】
前記一方の収納部品がワゴンであり、他方の収納部品が収納棚であることを特徴とする請求項１又は２記載のデスクセット。
【請求項４】
前記収納棚の上部に天板を連結手段により取外し可能に固定し、前記収納棚をデスクに対し取外し可能に固定することを特徴とする請求項３記載のデスクセット。
【発明の詳細な説明】
【技術分野】
【０００１】
本発明はデスクセットに関するものである。
【背景技術】
【０００２】
従来、デスクとワゴンからなるデスクセットにおいて、ワゴンの天板の上部に補助天板を設け、この補助天板の上面とデスクの上面を略同一面とすることにより、デスクの作業スペースを広くし、前記補助天板をワゴンから取外すことにより、ワゴンの高さをデスクの下部に設けられた収納空間よりも低くし、ワゴンを前記収納空間に収納することができるようにしたデスクセットが知られている（特許文献１参照）。
【先行技術文献】
【特許文献】
【０００３】
【特許文献１】特開２００５−４９７号公報
【発明の概要】
【発明が解決しようとする課題】
【０００４】
前記従来のデスクセットは、ワゴンを収納空間に収納するために、補助天板を外した場合には、その補助天板は不要となるため、該補助天板をワゴンの後部に収納するようになっている。
【０００５】
このように、前記補助天板をワゴンから取外した場合には、その有効活用がなされなかった。
【０００６】
そこで、本発明は、上記の課題を解決するデスクセットを提供することを目的とするものである。
【課題を解決するための手段】
【０００７】
前記課題を解決するために、請求項１記載の発明は、デスクと少なくとも２個の収納部品を有するデスクセットであって、
一方の収納部品の上部に板状部材を取外し可能に設け、該板状部材を、一方の収納部品から取外して他方の収納部品の上部に取り外し可能に設けることができるようにしたことを特徴とするものである。
【０００８】
請求項２記載の発明は、請求項１記載の発明において、前記夫々の収納部品の上部に前記板状部材を取付けた際には、該板状部材の上面とデスクの天板の上面とが同一面とすることができ、
前記夫々の収納部品の上部に前記板状部材を取付けていない際には、この収納部品を、前記デスクの下部に設けた収納空間に収納できることを特徴とするものである。
【０００９】
請求項３記載の発明は、請求項１又は２記載の発明において、前記一方の収納部品がワゴンであり、他方の収納部品が収納棚であることを特徴とするものである。
【００１０】
請求項４記載の発明は、請求項３記載の発明において、前記収納棚の上部に天板を連結手段により取外し可能に固定し、前記収納棚をデスクに対し取外し可能に固定することを特徴とするものである。
【発明の効果】
【００１１】
本発明のデスクセットによれば、一方の収納部品をデスクの収納空間内に収納等するために、板状部材を一方の収納部品から取り外した際には、他方の収納部品に取り付けて使用することができ、前記従来のデスクセットのように、板状部材が不要となることはなく、この板状部材を有効利用することができる。
【図面の簡単な説明】
【００１２】
【図１】本発明のデスクセットの組合せの一例を示す斜視図。
【図２】図１の平面図。
【図３】図１の前面図。
【図４】図１の左側面図。
【図５】図１に用いるデスクの裏面図で、図２の左右を反転した図。
【図６】図１に用いるワゴンであって、補助天板を取外した状態の平面図。
【図７】図１に用いる収納棚であって、補助天板を取外した状態の平面図。
【図８】図１に用いる補助天板の裏面図。
【図９】図１に用いるデスクとワゴンと補助天板の配置の一例を示す斜視図。
【図１０】図９の平面図。
【図１１】図９の前面図。
【図１２】図９の左側面図。
【図１３】図１に用いるデスクと収納棚の配置の一例を示す斜視図。
【図１４】図１３の平面図。
【図１５】図１３の裏面図。
【図１６】図１３の前面図。
【図１７】図１３の左側面図。
【図１８】図１に用いるデスクと収納棚の配置の他の例を示す平面図。
【図１９】図１に用いるデスクと収納棚の配置の他の例を示す斜視図。
【図２０】図１９の平面図。
【図２１】図１９の前面図。
【図２２】図１９の左側面図。
【図２３】図１に用いるデスクと収納棚の配置の他の例を示す平面図。
【発明を実施するための形態】
【００１３】
本発明を実施するための形態を図１乃至図２３に示す実施例に基づいて説明する。
図１は、本発明のデスクセット１の組合せの一例を示す斜視図で、図２はその平面図であり、該デスクセット１は、デスク２と、収納部品（収納家具）であるワゴン３と、収納部品（収納家具）である収納棚４を有する。以下、図２における、Ａ側を前側、Ｂ側を後側、Ｃ側を右側、Ｄ側を左側として説明する。
【００１４】
前記デスク２は、その上部に、上面形状が長方形の天板５を有し、使用時には該天板５の短手方向が前後方向（Ａ−Ｂ方向）に位置し、長手方向が左右方向（Ｃ−Ｄ方向）に位置するように設定されている。該天板５の下部の４隅には、夫々脚６が計４本固設されている。
【００１５】
前記天板５の下部には、図１、図３、図１３〜２３に示すように、板状部材である補助天板７を取外した状態のワゴン３又は収納棚４を収納できる収納空間８を有し、前後Ａ，Ｂ側に位置する夫々の左右の脚６，６間には、前記収納空間８と連通する空間９が形成され、左右Ｃ，Ｄ側に位置する夫々の前後の脚６，６間には、前記収納空間８と連通する空間１０が形成されている。すなわち、収納空間８は前後左右の４方向に開口している。
【００１６】
前記天板５の裏面には、図５に示すように、収納棚４の上板４２を所定の位置に取り付けるために、収納棚４の上板４２の取付穴５２ｃ，５２ｄに対応した取付穴１２，１３，１４，１５が設けられている。この取付穴１２，１３，１４，１５は、天板５の裏面側に開口し、上面（表面）側には開口せず、取付穴１２，１３，１４，１５内にはナットが固設されている。
【００１７】
前記第１取付穴１２，１２は、図２，図５に示すように、天板５の後端部における右側Ｃの半分内に２個設けられ、この第１取付穴１２，１２間の距離はＬ１に設定されている。また、図２，図５に示すように、前記第１取付穴１２，１２は、天板５の前端部における左側Ｄの半分内に２個設けられ、この第１取付穴１２，１２の距離はＬ１に設定されている。
【００１８】
前記第２取付穴１３，１３は、図２，図５に示すように、天板５の後端部における左側Ｄの半分内に２個設けられ、この第２取付穴１３，１３間の距離はＬ１に設定されている。また、図２，図５に示すように、前記第２取付穴１３，１３は、天板５の前端部における右側Ｃの半分内に２個設けられ、この第２取付穴１３，１３間の距離はＬ１に設定されている。
【００１９】
前記第３取付穴１４，１４は、図５に示すように、天板５の右端部に２個、その前後方向の中央に対して前後対称位置に設けられ、この第３取付穴１４，１４間の距離はＬ１に設定されている。
【００２０】
前記第４取付穴１５，１５は、図５に示すように、天板５の左端部に２個、その前後方向の中央に対して前後対称位置に設けられ、この第４取付穴１５，１５間の距離はＬ１に設定されている。
【００２１】
次に、前記一方の収納部品であるワゴン３について詳述する。
前記ワゴン３は、図１２に示すように、底板２０を有し、該底板２０の下部の４隅に４個のキャスタ２５と、最下段の引き出し２４ｃの下部の前部中央付近に１個の計５個のキャスタ２５が回転可能に設けられている。前記底板２０の両側部には、側板２１が設けられ、該両側板２１の上部間には上板２２が架設されている。また、上板２２、両側板２１、底板２０の後部には背板２３が設けられている。ワゴン３には、３段の引き出し２４ａ，２４ｂ，２４ｃが出し入れ自在に収納されている。
【００２２】
前記上板２２には、図６に示すように、その表裏を貫通する取付穴２６a，２６ｂが前部に２個、後部に２個設けられ、前側取付穴２６ａと２６ａ、及び、後側取付穴２６ｂと２６ｂは、それぞれ上板２２の左右方向の中央に対して左右対称位置に設けられている。
【００２３】
図６に示すように、前側取付穴２６ａ，２６ａ間の距離と、後側取付穴２６ｂ，２６ｂ間の距離は、夫々Ｌ２に設定され、右側に位置する前後の取付穴２６ａ，２６ｂ間の距離と、左側に位置する前後の取付穴２６ａ，２６ｂ間の距離は、夫々Ｌ３に設定されている。
【００２４】
次に、板状部材である補助天板７について説明する。
この補助天板７は、図８、図１０に示すように、上面形状が長方形状の板状部材で構成されている。該補助天板７の前後方向の長さＬ４は、デスク２の天板５の前後方向（Ａ−Ｂ方向）の長さＬ５と略同じに設定されている。
【００２５】
前記補助天板７の裏面には、図８に示すように、裏面側に開口し上面（表面）側には開口しない取付穴３０a，３０ｂが前部に２個、前後方向の中間部に２個、前記ワゴン３の上板２２の取付穴２６ａ，２６ｂに対応した位置に設けられている。該取付穴３０ａ，３０ｂ内にはナットが固設されている。
【００２６】
前記前側取付穴３０ａと３０ａ、及び、後側取付穴３０ｂと３０ｂは、それぞれ図８における補助天板７の左右方向の中央に対して左右対称位置に設けられている。
【００２７】
図８に示すように、前側取付穴３０ａと３０ａ間の距離と、後側取付穴３０ｂと３０ｂ間の距離は、距離Ｌ６に設定され、かつ、前記ワゴン３の上板２２の前側取付穴２６ａと２６ａ間の距離Ｌ２と同じに設定されている。また、右側に位置する前後の取付穴３０ａと３０ｂ間の距離と、左側に位置する前後の取付穴３０ａと３０ｂ間の距離は、距離Ｌ７に設定され、かつ、前記ワゴン３の上板２２の前後の取付穴２６ａ，２６ｂ間の距離Ｌ３と同じに設定されている。
【００２８】
これにより、ワゴン３の上板２２の上部に補助天板７を載置し、ワゴン３の上板２２の取付穴２６ａ，２６ｂ内にボルト３１を、ワゴン３の内側から挿通し、補助天板７の取付穴３０ａ，３０ｂ内のナットに螺合することで、ワゴン３の上部に補助天板７を取外し可能に固定できるようになっている。
【００２９】
上板２２の取付穴２６ａ、２６ｂと、補助天板７の取付穴３０ａ，３０ｂと、ボルト３１で連結手段３２を構成している。
【００３０】
図１１に示すように、ワゴン３の上部に補助天板７を取り付けた状態の高さＬ８は、デスク２の天板５の上面までの高さＬ９と略同じに設定されている。すなわち、図１１に示すように、ワゴン３の上部に補助天板７を取付けた状態において、ワゴン３の補助天板７の上面と、デスク２の天板５の上面とが、略同一面状となるようになっている。
【００３１】
また、ワゴン３から補助天板を取外した状態の高さＬ１０は、図３に示すように、デスク２の天板５の裏面までの高さＬ１１より小さく設定されている。すなわち、補助天板７の厚みＬ１２は、デスク２の天板５の厚みＬ１３より大きく設定されている。また、ワゴン３の上板２２の前後方向の長さＬ１４は、図２に示すように、補助天板７の長手方向（前後方向）の長さＬ４よりも短く設定され、すなわち、デスク２の天板５の前後方向（Ａ−Ｂ方向）の長さＬ５よりも短く設定されている。
【００３２】
これにより、ワゴン３から補助天板７を取外した状態において、図１，図３に示すように、ワゴン３の一部又は全部をデスク２の収納空間８内に収納できるようになっている。
【００３３】
また、ワゴン３の上部に補助天板７を取り付けた状態において、図９〜１２に示すように、ワゴン３をデスク２の右側又は左側に連接して配置することができる。
【００３４】
また、ワゴン３の上部に補助天板７を取り付けた状態において、ワゴン３をデスク２の前側に配置することができる。
【００３５】
次に、前記他方の収納部品である収納棚４について詳述する。
収納棚４は、図４に示すように、一対の側板４１，４１を有し、両側板４１，４１間の上端部と下端部と上下方向の中間部には、それぞれ上板４２と下板４３と中板４４が設けられている。この中板４４と下板４３の奥部には、夫々横棧が４５が設けられ、前方の収納口５３側から収納した収納物が、後方に落下し無いようになっている。
【００３６】
下板４３の４隅には、取付穴４７が設けられ、該取付穴４７内にはナットが固設され、該ナットに、下方から高さ調節手段であるアジャスタ４８を螺合し、該アジャスタ４８を回転することにより収納棚４の高さが調節できるようになっている。
【００３７】
前記下板４３の裏面には表面に開口しない取付穴５０が、図１〜図４、図７、図１５の収納棚４の配置状態において前部に２個、後部に２個設けられ、前側取付穴５０，５０と後側取付穴５０，５０は、それぞれ下板４３の左右方向の中央に対して左右対称位置に、右側に位置する前後の取付穴５０，５０と左側に位置する前後の取付穴５０，５０は、それぞれ下板４３の前後方向の中央に対して前後対称位置となるように設けられている。前記取付穴５０内にはナットが固設されている。
【００３８】
また、右側に位置する前後の取付穴５０，５０間の距離と、左側に位置する前後の取付穴５０，５０間の距離は、図４，図１５に示すように、同じ距離Ｌ１５に設定され、かつ、デスク２の天板５の取付穴１２，１２間等の距離Ｌ１と略同じに設定されている。
【００３９】
前記一方の側板４１の外面と他方の側板４１の外面との距離Ｌ１６は、図４に示すように、デスク２の前後方向の脚６，６の内面間の距離Ｌ１７より短く設定されている。これにより、補助天板７を取り付けていない状態で、かつ収納口５３が左右方向に開口するように配置した収納棚４を空間１０内に配置することができる。
【００４０】
前記上板４２は、図１，図３，図７に示すように、その先端（図３の左側端）４２ａが、側板４１の収納口５３側の先端（図３の左側端）４１ａから先方向（図３のＤ側方向）に突出し、上板４２の奥端４２ｂ（図７の右側端）は側板４１の奥端４１ｂと略同じとなるように設定されている。前記上板４２には、その表裏を貫通する取付穴５２ａ，５２ｂ，５２ｃ，５２ｄが、図１〜図４の収納棚４の配置状態において図７に示すように、左端部に４個、中間部に４個、右端部に６個が夫々並行する線上に設けられている。左端部の４個の第５取付穴５２ａと、中間部の４個の第６取付穴５２ｂの夫々の前後方向（Ａ−Ｂ方向）の配列状態は同一に設定されている。また、第５取付穴５２ａと第６取付穴５２ｂ間の距離は、共に同様のＬ１８に設定され、かつ、補助天板７の前側取付穴３０ａ，３０ａ間等の距離Ｌ６と略同じに設定されている。
【００４１】
前記最前端の第５取付穴５２ａと前から３番目に位置する第５取付穴５２ａの距離と、前から２番目に位置する第５取付穴５２ａと、最後端の第５取付穴５２ａの距離は、同じＬ１９に設定され、かつ、補助天板７の前後の取付穴３０ａ，３０ｂ間等の距離Ｌ７と略同じに設定されている。
【００４２】
また同様に、前記最前端の第６取付穴５２ｂと前から３番目に位置する第６取付穴５２ｂの距離と、前から２番目に位置する第６取付穴５２ｂと、最後端の第６取付穴５２ｂの距離は、同じＬ１９に設定され、かつ、補助天板７の前後の取付穴３０ａ，３０ｂ間等の距離Ｌ７と略同じに設定されている。
【００４３】
図７における右端部には、前部に３個の第７取付穴５２ｃと後部に３個の第８取付穴５２ｄが前後方向の同一線上に設けられている。前端の第７取付穴５２ｃと前端の第８取付穴５２ｄの距離と、前から２番目の第７取付穴５２ｃと前から２番目の第８取付穴５２ｄの距離と、後端の第７取付穴５２ｃと後端の第８取付穴５２ｄの距離は、同じＬ２０に設定され、かつ、デスク２の天板５の第１取付穴１２，１２間等の距離Ｌ１と略同じに設定されている。
【００４４】
これにより、収納棚４の収納口５３が左側に向いた状態で、収納棚４の上板４２の上部に補助天板７を載置し、上板４２の図７における最前端の取付穴５２ａ、５２ｂと前から３番目に位置する取付穴５２ａ、５２ｂに、内側からボルト５５を挿通し、補助天板７の取付穴３０ａ，３０ｂ内のナットに螺合することにより、収納棚４の収納口５３が左側に向いた状態で、その上部に補助天板７を取外し可能に固定することができるようになっている。
【００４５】
また、収納棚４の収納口５３が右側に向いた状態で、収納棚４の上板４２の上部に補助天板７を載置し、図７における前から２番目に位置する取付穴５２ａ、５２ｂと、最後端の取付穴５２ａ、５２ｂに、ボルト５５を挿通し、補助天板７の取付穴３０ａ，３０ｂ内のナットに螺合することにより、収納棚４の収納口５３が右側に向いた状態で、その上部に補助天板７を取外し可能に固定することができるようになっている。
【００４６】
収納棚４の上板４２の第５取付穴５２ａと第６取付穴５２ｂと、補助天板７の取付穴３０ａ，３０ｂと、ボルト５５で連結手段６９を構成している。
【００４７】
次に、収納棚４のデスク２への取付けに使用する２本の棧６０について説明する。
棧６０は、図１５，図１７に示すように、上面形状が略長方形の直方体状に形成されている。棧６０の長手方向において、その中央に対して対称位置となるように２個の貫通穴６１，６１が形成され、貫通穴６１，６１間の距離Ｌ２１は、デスク２の天板５の第４取付穴１５，１５間等の距離Ｌ１や、収納棚４における下板４３の取付穴５０，５０の距離Ｌ１５等と同じに設定されている。
【００４８】
また、夫々の貫通穴６１，６１の長手方向の外側に、上下を貫通する貫通穴６２，６２が計２個設けられ、該貫通穴６２内にはナットが固設されている。
【００４９】
次に、収納棚４のデスク２への取付け、又は、収納棚４の収納空間８内への収納について説明する。
【００５０】
［取付例１］
図１〜図４に示すように、収納棚４を、その収納口５３が図２の左方向Ｄを向くように回転させ、収納棚４の奥部を、デスク２の左側の前後の脚６，６間の空間１０内に配置する。
次に、収納棚４の上板４２の上部に、補助天板７を、その長手方向が前後方向となるように載置する。
【００５１】
次に、アジャスタ４８を調節して、図３に示すように、補助天板７の上面とデスク２の天板５の上面とが、略同一面状となるように収納棚４の高さを調節する。
【００５２】
次に、上板４２の最前端と前から３番目に位置する第５取付穴５２ａと、最前端と前から３番目に位置する第６取付穴５２ｂに、上板４２の裏側から、ボルト５５を挿通し、補助天板７の取付穴３０ａ，３０ｂ内のナットに螺合して、上板４２に補助天板７を固定する。
【００５３】
次に、収納棚４の上板４２の右側部と、デスク２の天板５の左側部との隙間に棧６０を、その長手方向が前後方向（Ａ−Ｂ方向）となるように配設し、収納棚４の上板４２の内側からボルト６５を、収納棚４の上板４２の前から２番目の第７取付穴５２ｃと、棧６０の貫通穴６１に挿通し、デスク２の第４取付穴１５内のナットに螺合する。同様に、ボルト６５を、収納棚４の上板４２の前から２番目の第８取付穴５２ｄと、棧６０の貫通穴６１に挿通し、デスク２の第４取付穴１５内のナットに螺合する。
【００５４】
これにより、図１〜４に示すように、収納棚４を、デスク２の左Ｄ側に、収納口５３がデスク２と反対側の外側（図２の左側）に向くように配置して、固定することができる。
収納棚４の上板４２の第７取付穴５２ｃと第８取付穴５２ｄと、棧６０の貫通穴６１と、デスク２の天板５の第４取付穴１５と、ボルト６５で連結手段７０を構成している。
【００５５】
［取付例２］
収納棚４を、図７の状態とは左右に１８０度回転するように回転させて、その収納口５３が図２の右方向Ｃに向くようにして、収納棚４の奥部を、デスク２の右側Ｃの前後の脚６，６間の空間１０内に配置する。
【００５６】
次に、収納棚４の上板４２の上部に補助天板７を載置し、アジャスタ４８を調節することにより、補助天板７の上面とデスク２の天板５の上面とが、略同一面状となるように収納棚４の高さを調節する。
【００５７】
次に、図７の状態から１８０度回転させた状態における上板４２の最前端と前から３番目に位置する第５取付穴５２ａ、最前端と前から３番目に位置する第６取付穴５２ｂに、すなわち、図７の状態における前から２番目と最後端に位置する第５取付穴５２ａと、前から２番目と最後端に位置する第６取付穴５２ｂに、ボルトを挿通し、補助天板７の取付穴３０ａ，３０ｂ内のナットに螺合して、上板４２に補助天板７を固定する。
【００５８】
次に、収納棚４の上板４２とデスク２の天板５との隙間に棧６０を、その長手方向が前後方向（Ａ−Ｂ方向）となるように配設し、収納棚４の上板４２の内側からボルトを、収納棚４の上板４２の前から２番目の第７取付穴５２ｃと、棧６０の貫通穴６１に挿通し、デスク２の第３取付穴１４内のナットに螺合する。同様に、ボルトを、収納棚４の上板４２の前から２番目の第８取付穴５２ｄと、棧６０の貫通穴６１に挿通し、デスク２の第３取付穴１４内のナットに螺合する。
【００５９】
これにより、収納棚４を、デスク２の右Ｃ側に、収納口５３がデスク２と反対側の外側（図２の右側）に向くように配置して、固定することができる。
【００６０】
収納棚４の上板４２の第７取付穴５２ｃと第８取付穴５２ｄと、棧６０の貫通穴６１と、デスク２の天板５の第３取付穴１４と、ボルトで連結手段を構成している。
【００６１】
［取付例３］
収納棚４の下板４３の取付穴４７からアジャスタ４８を取り外した後に、図１５に示すように、下板４３の下面において、２本の桟６０，６０を、その長手方向が収納棚４の側板４１，４１間方向に位置するようにして、並行に配置し、下側方向からボルト６３を、棧６０の貫通穴６１と、下板４３の取付穴５０，５０に挿通し、下板４３の取付穴５０内のナットに螺合することにより、下板４３の下側に桟６０を固設する。
次に、桟６０の貫通穴６２内のナットにアジャスタ４８を螺合して取り付ける。
【００６２】
次に、収納棚４を回転させ、図１３〜図１７に示すように、収納棚４を、その収納口５３が図１４の左側Ｄ方向に向き、収納棚４の奥端がデスク２の右側の前後方向の脚６，６間の空間１０に位置するように配置する。すなわち、収納棚４をデスク２の収納空間８の右側Ｃ部に配置する。
【００６３】
次に、アジャスタ４８を調節し、上板４２の上面がデスク２の天板５の裏面と当接するように調節する。
【００６４】
次に、収納棚４の上板４２の下側からボルト６７を、収納棚４の上板４２の前から２番目の第７取付穴５２ｃに挿通し、デスク２の第３取付穴１４内のナットに螺合する。同様に、ボルト６７を、収納棚４の上板４２の前から２番目の第８取付穴５２ｄに挿通し、デスク２の第３取付穴１４内のナットに螺合する。
【００６５】
これにより、図１３〜１７に示すように、収納棚４を、その収納口５３がデスク２の左Ｄ側方向に向いた状態で、デスク２の収納空間８の右側Ｃ部に収納することができる。
【００６６】
収納棚４の上板４２の第７取付穴５２ｃと第８取付穴５２ｄと、デスク２の天板５の第３取付穴１４と、ボルト６７で連結手段７１を構成している。
【００６７】
［取付例４］
前記取付例３と同様に、下板４３の下側に桟６０，６０を固設し、該桟６０，６０にアジャスタ４８を取り付ける。
次に、図１８に示すように、収納棚４を回転させ、収納棚４を、その収納口５３がデスク２の右側Ｃ方向に向き、収納棚４の奥端がデスク２の左側の前後方向の脚６，６間の空間１０に位置するように配置する。すなわち、収納棚４をデスク２の収納空間８の左側Ｄ部に配置する。
【００６８】
次に、収納棚４のアジャスタ４８を調節し、上板４２の上面がデスク２の天板５の裏面と当接するように調節する。
【００６９】
次に、収納棚４の上板４２の下側からボルト６６を、収納棚４の上板４２の前から２番目の第７取付穴５２ｃに挿通し、デスク２の第４取付穴１５内のナットに螺合する。同様に、ボルト６６を、収納棚４の上板４２の前から２番目の第８取付穴５２ｄに挿通し、デスク２の第４取付穴１５内のナットに螺合する。
【００７０】
これにより、図１８に示すように、収納棚４を、その収納口５３がデスク２の右Ｃ側方向に向いた状態で、デスク２の収納空間８の左側Ｄ部に収納することができる。
【００７１】
収納棚４の上板４２の第７取付穴５２ｃと第８取付穴５２ｄと、デスク２の天板５の第４取付穴１５と、ボルト６６で連結手段７２を構成している。
【００７２】
［取付例５］
前記取付例３と同様に、下板４３の下側に桟６０を固設し、桟６０にアジャスタ４８を取り付ける。
次に、図１９〜図２２に示すように、収納棚４を回転させ、収納棚４を、その収納口５３がデスク２の前側Ａ方向に向き、収納棚４の奥端がデスク２の後部の左右方向の脚６，６間の空間９の右部に位置するように配置する。すなわち、収納棚４をデスク２の収納空間８の右側Ｃ後部に配置する。
【００７３】
次に、収納棚４のアジャスタ４８を調節し、上板４２の上面がデスク２の天板５の裏面と当接するように調節する。
【００７４】
次に、収納棚４の上板４２の下側からボルト６８を、収納棚４の上板４２の図７における最前端（図２０の右側端）の第７取付穴５２ｃに挿通し、デスク２の第１取付穴１２内のナットに螺合する。同様に、ボルト６８を、収納棚４の上板４２の図７における最前端（図２０の右側端）の第８取付穴５２ｄに挿通し、デスク２の第１取付穴１２内のナットに螺合する。
【００７５】
これにより、図１９〜図２２に示すように、収納棚４を、その収納口５３がデスク２の前側Ａ方向に向いた状態で、デスク２の収納空間８の右側Ｃ後部に収納することができる。
【００７６】
収納棚４の上板４２の第７取付穴５２ｃと第８取付穴５２ｄ、デスク２の天板５の第１取付穴１２と、ボルト６８で連結手段７３を構成している。
【００７７】
［取付例６］
前記取付例３と同様に、下板４３の下側に桟６０を固設し、桟６０にアジャスタ４８を取り付ける。
次に、図２３に示すように、収納棚４を回転させ、収納棚４を、その収納口５３がデスク２の前側Ａ方向に向き、収納棚４の奥端がデスク２の後部の左右方向の脚６，６間の空間９の左部に位置するように配置する。すなわち、収納棚４をデスク２の収納空間８の左側Ｄ後部に配置する。
【００７８】
次に、収納棚４のアジャスタ４８を調節し、上板４２の上面がデスク２の天板５の裏面と当接するように調節する。
【００７９】
次に、収納棚４の上板４２の下側からボルト７５を、収納棚４の上板４２の図７における最後端（図２３の左側端）の第７取付穴５２ｃに挿通し、デスク２の第２取付穴１３内のナットに螺合する。同様に、ボルト７５を、収納棚４の上板４２の図７における最後端（図２３の左側端）の第８取付穴５２ｄに挿通し、デスク２の第２取付穴１３内のナットに螺合する。
【００８０】
これにより、図２３に示すように、収納棚４を、その収納口５３がデスク２の前側Ａ方向に向いた状態で、デスク２の収納空間８の左側Ｄ後部に収納することができる。
【００８１】
収納棚４の上板４２の第７取付穴５２ｃと第８取付穴５２ｄと、デスク２の天板５の第２取付穴１３と、ボルト７５で連結手段７４を構成している。
【００８２】
以上の構成により、本発明の実施例におけるデスクセット１は、次のような作用、効果を発揮する。
【００８３】
板状部材である補助天板７を、収納部品であるワゴン３又は収納棚４の上部に取り付けた状態において、補助天板７の上面とデスク２の天板５の上面とが、略同一面状となるようにすることができるため、デスク２の左右にワゴン３又は収納棚４を配置した場合には左右方向の作業スペースを、デスク２の前側にワゴン３又は収納棚４を配置した場合には、前側Ａ（使用者側）の作業スペースを広げることができ、デスクの使用者（着席者）の着席状態で手の届く範囲の作業スペースを広げることができる。
【００８４】
また、一方の収納部品３，４をデスク２の収納空間８内に収納するために、補助天板７を一方の収納部品３又は４から取り外した後も、他方の収納部品４又は３に取り付けることができ、前記従来のデスクセットのように、補助天板７が不要となることはなく、該補助天板を有効利用することができる。
【００８５】
また、収納棚４の上部に補助天板７を取付けるとともに、収納棚４の奥部を棧６０を介してデスク２の天板５の裏面に対して取外し可能に固定したことにより、収納棚４の収納口５３より先方に補助天板７が突出した状態においても、収納棚４を安定して、デスク２の天板５の左右の側部に配置することができる。
【００８６】
なお、前記実施例においては、連結手段３２，６９〜７４として、ボルトとナットを用いたが、ボルトとナット以外にも任意の連結手段を用いることができる。
【００８７】
また、収納部品は、前記実施例においては、ワゴン３と収納棚４の２個で構成したが、収納部品は少なくとも２個あれば良く、その数は任意に設定することができる。
【００８８】
また、収納部品は、前記実施例においては、ワゴン３と収納棚４の２種類で構成したが、構成物品の種類は、１種類でも、３種類でもよく、任意に設定することができる。
【００８９】
前記デスク２は、図２の状態からデスク２を１８０度回転させて、前後入れ替えても使用することができる。
【符号の説明】
【００９０】
１  デスクセット
２  デスク
３  収納部品（ワゴン）
４  収納部品（収納棚）
５  デスクの天板
７  板状部材
３２，６９〜７４  連結手段
【図１】
2010284424.tif 000003
【図２】
2010284424.tif 000004
【図３】
2010284424.tif 000005
【図４】
2010284424.tif 000006
【図５】
2010284424.tif 000007
【図６】
2010284424.tif 000008
【図７】
2010284424.tif 000009
【図８】
2010284424.tif 000010
【図９】
2010284424.tif 000011
【図１０】
2010284424.tif 000012
【図１１】
2010284424.tif 000013
【図１２】
2010284424.tif 000014
【図１３】
2010284424.tif 000015
【図１４】
2010284424.tif 000016
【図１５】
2010284424.tif 000017
【図１６】
2010284424.tif 000018
【図１７】
2010284424.tif 000019
【図１８】
2010284424.tif 000020
【図１９】
2010284424.tif 000021
【図２０】
2010284424.tif 000022
【図２１】
2010284424.tif 000023
【図２２】
2010284424.tif 000024
【図２３】
2010284424.tif 000025